【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】
機械的鍵の形態の生物測定鍵であって、該鍵は、生物測定センサ（１４）によって生成されるデータのバイオコードによって表される信号の伝達のための生物測定センサ（１４）を組み込む鍵本体（１３）を有し、該鍵本体（１３）が、機械的ロック本体（２０）と係合可能であり、そして該機械的ロック本体（２０）の嵌合電気的接触（単数または複数）（２２）と係合するための１つ以上の電気的接触（１２）を有し、それによって、使用において、該信号が、該機械的ロック本体（２０）と鍵本体（１３）とが係合する際に、該生物測定鍵（１０）によってアクセス可能な設備に対する許可された使用者にアクセスを与えるために、該機械的ロック本体（２０）とインターフェースを取るかまたは該機械的ロック本体（２０）に電気的に接続されるプロセッシング手段に送られ、該センサー（１４）が、該鍵本体（１３）内の絶縁体（２７）によって取り囲まれ、そして該センサー（１４）が、該絶縁体（２７）に付随する回路基板（２８）に電気的に接続され、該回路基板（２８）が、該１つ以上の接触（１２）に電気的に接続されることによって特徴付けられる、生物測定鍵。
【請求項２】
請求項１に記載の生物測定鍵であって、ここで、前記絶縁体（２７）が、前記鍵本体（１３）のスロット（１３Ｃ）に挿入可能であり、該スロットに接続される、生物測定鍵。
【請求項３】
請求項１に記載の生物測定鍵であって、ここで、前記絶縁体（２７）が、前記鍵本体（１３）にスライド可能に接続され、該鍵本体に結合される、生物測定鍵。
【請求項４】
請求項１に記載の生物測定鍵であって、ここで、前記生物測定センサ（１４）が、前記絶縁体（２７）の嵌合リセス（３０）内に収容される、生物測定鍵。
【請求項５】
請求項１に記載の生物測定鍵であって、ここで、前記回路基板（２８）が、絶縁体（２７）の空洞（２９）内に収容される、生物測定鍵。
【請求項６】
請求項１に記載の生物測定鍵であって、ここで、前記回路基板（２８）が、１つの端部において、前記生物測定センサ（１４）の隣接端部の対応する接触トレース（２６）と係合する接触トレース（２８Ａ）またはリードワイヤを有する、生物測定鍵。
【請求項７】
請求項１に記載の生物測定鍵であって、ここで、前記絶縁体（２７）が、前記回路基板（２８）の対応する接触またはリードワイヤと接触して複数の接触ポータル（１２）を組み込む、生物測定鍵。
【請求項８】
請求項１に記載の生物測定鍵であって、ここで、前記接触または前記接触のそれぞれが、絶縁体スリーブ（５０Ａ、５１）によって少なくとも部分的に取り囲まれる、生物測定鍵。
【請求項９】
請求項８に記載の生物測定鍵であって、ここで、前記絶縁体スリーブまたは前記絶縁体スリーブのそれぞれ（５０Ａ、５１）が、前記鍵本体（１３）の長手軸に直交して整列される、生物測定鍵。
【請求項１０】
請求項１に記載の生物測定鍵であって、ここで、前記鍵本体（１３）が前記生物測定センサ（１４）およびブレード部分（１６）を組み込むハンドルまたは握り部分を有する、生物測定鍵。
【請求項１１】
請求項１０に記載の生物測定鍵であって、ここで、前記ブレード部分（１６）が、複数の刻み目（１７）を有する、生物測定鍵。
【請求項１２】
請求項１０に記載の生物測定鍵であって、ここで、前記ブレード部分（１６）が、刻み目を組み込まない形状でプレート状である、生物測定鍵。
【請求項１３】
請求項１に記載の生物測定鍵であって、ここで、各接触が、絶縁体スリーブ（５０Ａ〜５１）を収容する際に配置される一対の接触ピン（５２〜５３）を備える、生物測定鍵。
【請求項１４】
請求項１に記載の生物測定鍵であって、ここで、前記鍵本体（１３）がスマートチップを組み込む、生物測定鍵。
【請求項１５】
生物測定鍵と係合可能な機械的ロック本体であって、該生物測定鍵が、生物測定センサ（１４）によって生成されるデータのバイオコードを表す信号の伝達のための生物測定センサ（１４）を組み込み、該機械的ロック本体（２０）が、以下：
（ｉ）可動成分またはシリンダ（１８）であって、該可動成分またはシリンダ（１８）は、該鍵が該可動成分またはシリンダ（１８）と係合した場合に該生物測定鍵の対応する接触（単数または複数）（１２）と係合するための１つ以上の接触ポータル（５６）を有する、可動成分またはシリンダ（１８）；および
（ｉｉ）該可動成分の保持のためのバレル（３１）であって、該バレル（３１）は、該可動成分またはシリンダ（１８）の接触ポータル（３２）と係合するための接触（単数または複数）（２２）を有し、それによって、使用において、該信号が、該生物測定鍵によってアクセス可能な設備の許可された使用者にアクセスを与えるための該信号の自動生成のために、該生物測定鍵と該可動成分とを係合した際に、該バレル（３１）とインターフェースを取るかまたは該バレル（３１）に電気的に接続されるプロセッシング手段に送られる、バレル（３１）、
を有する、機械的ロック本体。
【請求項１６】
請求項１５に記載の機械的ロック本体であって、ここで、前記可動成分またはシリンダ（１８）が、前記生物測定鍵の複数の刻み目（１７）と係合するための複数のタンブラー（３６）を有する、機械的ロック本体。
【請求項１７】
請求項１５に記載の機械的ロック本体であって、該機械的ロック本体が、前記バレル（３１）に内部プロセッシングユニットを組み込み、これが前記プロセッシング手段に対応する、機械的ロック本体。
【請求項１８】
請求項１７に記載の機械的ロック本体であって、ここで、前記内部プロセッシングユニットが、生物測定データの登録のための外部プロセッサまたはコンピュータとのインターフェースを有する、機械的ロック本体。
【請求項１９】
請求項１５に記載の機械的ロック本体であって、ここで、前記プロセッシング手段による前記信号の分析の後に、前記設備に対するアクセスが、前記ロック本体（２０）内に配置されるリニアモーター（３８）またはソレノイドの作動によって提供され、このリニアモーター（３８）またはソレノイドが該プロセシング手段との電気的接続状態にあり、ここで、該リニアモーター（３８）またはソレノイドが、該ロック本体（２０）をロック解除するために、前記バレル（３１）に対する前記可動成分またはシリンダ（１８）の回転を促進するように作動する、機械的ロック本体。
【請求項２０】
請求項１９に記載の機械的ロック本体であって、ここで、前記可動成分またはシリンダ（１８）の回転が、前記リニアモーター（３８）またはソレノイドの作動に起因する、前記ロック本体（２０）内のロックピン（３９）の対応する回転により引き起こされる、機械的ロック本体。
【請求項２１】
請求項１５に記載の機械的ロック本体であって、ここで、前記可動成分またはシリンダ（１８）内に含まれる前記接触（５６）のそれぞれが、前記生物測定鍵本体の対応する接触（５２、５３）と当接した位置にバネ付勢される、機械的ロック本体。
【請求項２２】
請求項２１に記載の機械的ロック本体であって、ここで、前記接触（５６）のそれぞれが、使用において前記生物測定鍵の長手軸と直交する、機械的ロック本体。
【請求項２３】
請求項２１に記載の機械的ロック本体であって、ここで、前記接触（５６）のそれぞれが、絶縁体（５４）内に収容される、機械的ロック本体。
【請求項２４】
請求項２１に記載の機械的ロック本体であって、ここで、各絶縁体（５４）内に、使用において前記生物測定鍵の対応する接触（５２〜５３）と接するための内側接触（５６）およびバネ（５７）によって隣接内側接触（５６）から分離される外側接触（５５）が提供される、機械的ロック本体。
【請求項２５】
請求項１５に記載の機械的ロック本体であって、ここで、前記センサ（１４）によって生成される生物測定データの有効または拒絶を示すインジケータ手段が前記本体（２０）内に組み込まれる、機械的ロック本体。
【請求項２６】
請求項２５に記載の機械的ロック本体であって、ここで、前記インジケータ手段が、発光ダイオード（７０）である、機械的ロック本体。
【請求項２７】
設備に対するアクセスを提供するための方法であって、以下の工程：
（ｉ）機械的鍵を機械的ロック本体（２０）と係合させる工程であって、該機械的鍵が、生物測定センサ（１４）および１つ以上の接触（１２）を組み込み、該１つ以上の接触（１２）が、該鍵の外側表面に配置され、そして該生物測定センサ（１４）に電気的に接続され、ここで、該鍵の１つ以上の接触（１２）が、該機械的ロック本体（２０）の嵌合接触（単数または複数）（２２）と接して、該機械的ロック本体（２０）とインターフェースを取るかまたは該機械的ロック本体（２０）に電気的に接続されるプロセッシング手段に電力を提供し、それによって、該生物測定センサ（１４）によって生成されるデータのバイオコードを表す信号が、該機械的鍵および機械的ロック本体（２０）の係合ならびに該生物測定センサの作動の際に、自動的に生成され、そして該プロセッシング手段に送られる、工程；
（ｉｉ）該バイオコードを該プロセッシング手段と関連するデータベースとマッチングして、該バイオコードの有効性を許可する、工程；ならびに
（ｉｉｉ）該有効が生じた場合に、許可された使用者に該機械的ロック本体（２０）を組み込む設備に対するアクセスを提供する、工程、
を包含する、方法。
【請求項２８】
設備に対して許可されていないアクセスを妨げるためのセキュリティーシステムを組み込む設備であって、該セキュリティーシステムは、以下：
（ａ）請求項１に記載される生物測定鍵；ならびに
（ｂ）受け具本体（１８、１８Ａ、２０）であって、該受け具本体（１８、１８Ａ、２０）は、（ｉ）該設備の可動部分に作動可能に関連するかまたは該設備の可動部分に接続されるか、あるいは（ｉｉ）受け具本体（１８、１８Ａ、２０）が該生物測定鍵と係合可能である可動ラッチ部材を有し、ここで、該受け具本体（１８、１８Ａ、２０）が、該鍵本体（１３）の嵌合接触（単数または複数）（５Ｃ）との係合のための１つ以上の接触（１２）を有し、それによって、該受け具本体（１８、１８Ａ、２０）が、プロセッシング手段とインターフェースを取るかまたはプロセッシング手段に電気的に接続され、それによって、使用において、該生物測定鍵と受け具本体（１８、１８Ａ、２０）の係合ならびに該生物測定センサの作動の際に、該信号が、該可動部分をロック解除することによってまたは該設備をロック解除するラッチ部材の移動を引き起こすことによって、許可された使用者に対する該設備へのアクセスを与える該プロセッシング手段に自動的に送られる、受け具本体（１８、１８Ａ、２０）、
を備える、設備。
【請求項２９】
請求項２８に記載の設備であって、ここで、前記受け具本体（１８、１８Ａ、２０）が、該設備の可動部分に接続される、設備。
【請求項３０】
請求項２９に記載の設備であって、ここで、前記可動部分が、該設備の引出しまたはドアであり、そして前記受け具本体（１８、１８Ａ、２０）の該引出しまたはドアに接続される、設備。
【請求項３１】
請求項２９に記載の設備であって、ここで、前記生物測定鍵が、前記受け具本体（１８、１８Ａ、２０）の嵌合スロット（１３Ｃ）と係合する刻み目を組み込まないブレード部分を有する、設備。
【請求項３２】
請求項２９に記載の設備であって、ここで、前記受け具本体（１８、１８Ａ、２０）が、可動ラッチ部材を有する、設備。
【請求項３３】
請求項２９に記載の設備であって、ここで、前記受け具本体が、（ｉ）前記接触（単数または複数）（３２）を有する可動成分またはロックシリンダ（１８）、ならびに（ｉｉ）該可動成分（１８）の保持のためのバレル（３１）を備え、ここで、該バレル（３１）が、前記信号の伝達のために、該接触（単数または複数）（３２）と係合するための接触（単数または複数）（２２）を有する、設備。
【請求項３４】
請求項２９に記載の設備であって、ここで、前記機械的鍵が、前記可動成分またはシリンダ（１８）のタンブラー（３６）と係合するための刻み目（１７）を有する、設備。
【請求項３５】
可動部分を組み込む設備に対するアクセスを提供するための方法であって、該方法が、以下の工程：
（ｉ）生物測定センサ（１４）によって生成されるデータのバイオコードによって表される信号の伝達のための生物測定センサを有する生物測定鍵を、受け具本体（１８、１８Ａ、２０）と係合する工程であって、該鍵が、１つ以上の接触（１２）を有し、該受け具本体（１８、１８Ａ、２０）が、該可動部分に作動可能に関連するかまたは該可動部分に接続され、それによって、該生物測定鍵の該接触（単数または複数）（１２）は、該受け具本体（１８、１８Ａ）の対応する接触（２２）と係合し、それによって、該受け具本体とインターフェースを取るかまたは該受け具本体に電気的に接続されるプロセッシング手段に電力が提供され、それによって、該信号が、該生物測定鍵と該受け具本体との係合および該生物測定センサの作動によって自動的に生成し、該プロセッシング手段に送られる、工程；
（ｉｉ）該バイオコードを該プロセッシング手段と関連するデータベースとマッチングして、該バイオコードの有効性を許可する、工程；ならびに
（ｉｉｉ）可動部分をロック解除される位置への移動させることによって、許可された使用者の該設備に対するアクセスを提供する工程、
を包含する、方法。
【請求項３６】
請求項３５に記載の方法であって、ここで、前記設備の可動部分が、該設備の引出しまたはドアである、方法。
【請求項３７】
請求項３５に記載の方法であって、工程（ｉ）において、前記生物測定鍵の前記接触（単数または複数）（１２）が、該ロックシリンダまたは可動成分（１８）の保持のためのバレル（３１）を有する、機械的ロック本体（１８、１８Ａ、２０）のロックシリンダまたは可動成分（１８）の嵌合接触（単数または複数）（２２）と係合し、ここで、該バレル（３１）が、該信号の生成のために該ロックシリンダまたは可動成分（１８）の該嵌合接触（単数または複数）（２２）と係合する接触（単数または複数）（３２）を有する、方法。
【請求項３８】
請求項３７に記載の方法であって、前記設備に対するアクセスが、前記バレルに対する前記ロックシリンダまたは可動成分（１８）の回転の後に与えられる、方法。
【請求項３９】
請求項３５に記載の方法であって、ここで、許可された生物測定サインの登録が、該許可された生物測定サインを表すデータのバイオコードを表す信号の自動生成のために、該生物測定鍵と該受け具本体（１８、１８Ａ、２０）との最初の係合および前記生物測定センサ（１４）の作動によって行われ、該データが、次いで、前記データベース内に取り込まれる、方法。
【請求項４０】
請求項３９に記載の方法であって、ここで、前記プロセッシング手段が、データベースを有する、前記機械的ロック本体（１８、１８Ａ、２０）と関連するプロセッシングユニットを備え、そして該プロセッシングユニットが、データベースをまた有するホストコンピュータとインターフェースが取られ、そして該ホストコンピュータが、前記許可された生物測定サインの取り込みの前に、該許可された生物測定サイン関する個人情報および／または人口統計学的情報を要求する、方法。
【請求項４１】
請求項３９に記載の方法であって、個人情報および／または人口統計学的情報が、前記ホストコンピュータのデータベース内に生物測定サイン（単数または複数）とともに保存され、そして前記許可される生物測定サインが新たな登録として該データベースに登録される前に、以前の登録についてこのデータベースの検索がなされ、続いて、このプロセッシングユニットのデータベースおよびホストコンピュータのデータベースが、該新たな登録を反映するようにアップデートされる、方法。